【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】  複数の画像を取得可能であり、該画像を表示する表示部を有する携帯電話と印刷装置とからなる印刷システムであって、
前記携帯電話は、
前記印刷装置と通信する第１の通信手段と、
前記表示部に、前記取得した一の画像と該画像を装飾する装飾画像との２つの画像を重ね合わせて合成表示し、該２つの画像の相対位置に関する情報を決定する合成表示制御手段と、
前記相対位置に関する情報と共に、前記一の画像を前記装飾画像とは別個に、前記第１の通信手段を用いて前記印刷装置へ送信する送信制御手段とを備え、
前記印刷装置は、
前記携帯電話と通信する第２の通信手段と、
前記携帯電話から送信された前記相対位置に関する情報に基づいて、前記一の画像と前記装飾画像とを合成して、合成印刷画像を作成する合成印刷制御手段と、
前記合成印刷画像を印刷する印刷制御手段とを備えた
印刷システム。
【請求項２】  請求項１に記載の印刷システムであって、
前記印刷装置は、
前記携帯電話から送信された前記装飾画像を記憶する記憶手段と、
前記携帯電話からの問い合わせに対して、前記記憶手段に記憶された前記装飾画像を確認して、前記合成印刷画像の作成に用いる装飾画像の有無を送信する装飾画像確認手段とを備え、
前記携帯電話は、前記装飾画像が前記印刷装置の前記記憶手段に有る場合には、前記装飾画像の送信を行なわない印刷システム。
【請求項３】  請求項１または２に記載の印刷システムであって、
前記携帯電話は、画像を撮影する撮影部を有し、
前記撮影部により撮影した撮影画像を縮小して、前記装飾画像を作成する装飾画像作成手段を備えた
印刷システム。
【請求項４】  請求項１ないし３のいずれかに記載の印刷システムであって、
前記第１の通信手段および前記第２の通信手段は、赤外線を用いた無線通信手段である印刷システム。
【請求項５】  携帯電話で取得した画像を印刷する印刷装置であって、
前記携帯電話と通信する通信手段と、
前記携帯電話で取得した画像の内、一の画像を装飾する装飾画像が前記携帯電話から送信されるときに、該装飾画像を受け取って記憶する記憶手段と、
前記携帯電話から送信される前記一の画像と前記装飾画像を特定する情報と両画像の相対位置に関する情報とに基づいて、前記一の画像と前記記憶手段から呼び出した前記装飾画像とを前記相対位置に合わせて合成して、合成印刷画像を作成する合成印刷制御手段と、
前記合成印刷画像を印刷する印刷制御手段とを備えた
印刷装置。
【請求項６】  請求項５に記載の印刷装置であって、
前記携帯電話から送信される前記装飾画像を特定する情報に基づいて、前記記憶手段に記憶された該装飾画像を検索し、該装飾画像の有無に基づく情報を、前記携帯電話に送信する装飾画像検索手段を備えた印刷装置。
【請求項７】  画像を撮影する撮影部と該撮影された画像を表示する表示部とを有する携帯電話であって、
印刷装置と通信する通信手段と、
前記表示部に、前記撮影部により撮影された撮影画像と該撮影画像を装飾する装飾画像との２つの画像を重ね合わせて合成表示し、該２つの画像の相対位置に関する情報を決定する合成表示制御手段と、
前記相対位置に関する情報と共に、前記撮影画像を前記装飾画像とは別個に、前記通信手段を用いて前記印刷装置へ送信する送信制御手段とを備えた
携帯電話。
【請求項８】  請求項７に記載の携帯電話であって、
前記撮影部により撮影された画像を縮小して、前記装飾画像の作成を行なう装飾画像作成手段を備えた携帯電話。
【請求項９】  請求項７または８に記載の携帯電話であって、
前記装飾画像は、フレーム画像である携帯電話。
【請求項１０】  複数の画像を取得可能であり、該画像を表示する表示部を有し、印刷装置と通信可能な携帯電話と、前記携帯電話と通信可能な前記印刷装置と、からなる印刷システムの印刷制御方法であって、
前記携帯電話は、
前記表示部に、前記取得した一の画像と該画像を装飾する装飾画像との２つの画像を重ね合わせて合成表示し、該２つの画像の相対位置に関する情報を決定し、
前記相対位置に関する情報と共に、前記一の画像を前記装飾画像とは別個に、前記印刷装置へ送信し、
前記印刷装置は、
前記携帯電話から送信された前記相対位置に関する情報に基づいて、前記一の画像と前記装飾画像とを合成して、合成印刷画像を作成し、
前記合成印刷画像を印刷する
印刷システムの印刷制御方法。
【請求項１１】  携帯電話との通信が可能であり、該携帯電話で取得した画像を印刷する印刷装置の印刷制御方法であって、
前記携帯電話で取得した画像の内、一の画像を装飾する装飾画像が前記携帯電話から送信されるときに、該装飾画像を受け取って記憶し、
前記携帯電話から送信される前記一の画像と前記装飾画像を特定する情報と両画像の相対位置に関する情報とに基づいて、前記一の画像と前記記憶した前記装飾画像とを前記相対位置に合わせて合成して、合成印刷画像を作成し、
前記合成印刷画像を印刷する
印刷装置の印刷制御方法。
【請求項１２】  画像を撮影する撮影部と該撮影された画像を表示する表示部とを有し、印刷装置と通信可能な携帯電話の制御方法であって、
前記表示部に、前記撮影部により撮影された撮影画像と該撮影画像を装飾する装飾画像との２つの画像を重ね合わせて合成表示し、該２つの画像の相対位置に関する情報を決定し、
前記相対位置に関する情報と共に、前記撮影画像を前記装飾画像とは別個に、前記印刷装置へ送信する
携帯電話の制御方法。
【手続補正２】
【補正対象書類名】明細書
【補正対象項目名】０００５
【補正方法】変更
【補正の内容】
【０００５】
【課題を解決するための手段およびその作用・効果】
本発明の印刷システムは、上記課題の少なくとも一部を解決するため、以下の手法をとった。すなわち、複数の画像を取得可能であり、該画像を表示する表示部を有する携帯電話と印刷装置とからなる印刷システムであって、前記携帯電話は、前記印刷装置と通信する第１の通信手段と、前記表示部に、前記取得した一の画像と該画像を装飾する装飾画像との２つの画像を重ね合わせて合成表示し、該２つの画像の相対位置に関する情報を決定する合成表示制御手段と、前記相対位置に関する情報と共に、前記一の画像を前記装飾画像とは別個に、前記第１の通信手段を用いて前記印刷装置へ送信する送信制御手段とを備え、前記印刷装置は、前記携帯電話と通信する第２の通信手段と、前記携帯電話から送信された前記相対位置に関する情報に基づいて、前記一の画像と前記装飾画像とを合成して、合成印刷画像を作成する合成印刷制御手段と、前記合成印刷画像を印刷する印刷制御手段とを備えたことを要旨としている。
【手続補正３】
【補正対象書類名】明細書
【補正対象項目名】０００６
【補正方法】変更
【補正の内容】
【０００６】
また、この印刷システムに対応する印刷制御方法は、複数の画像を取得可能であり、該画像を表示する表示部を有し、印刷装置と通信可能な携帯電話と、前記携帯電話と通信可能な前記印刷装置と、からなる印刷システムの印刷制御方法であって、前記携帯電話は、前記表示部に、前記取得した一の画像と該画像を装飾する装飾画像との２つの画像を重ね合わせて合成表示し、該２つの画像の相対位置に関する情報を決定し、前記相対位置に関する情報と共に、前記一の画像を前記装飾画像とは別個に、前記印刷装置へ送信し、前記印刷装置は、前記携帯電話から送信された前記相対位置に関する情報に基づいて、前記一の画像と前記装飾画像とを合成して、合成印刷画像を作成し、前記合成印刷画像を印刷することを要旨としている。
【手続補正４】
【補正対象書類名】明細書
【補正対象項目名】００１１
【補正方法】変更
【補正の内容】
【００１１】
上記の構成を有する印刷システムにおいて、前記第１の通信手段および前記第２の通信手段は、赤外線を用いた無線通信手段としても良い。かかる構成によれば、指向性のある赤外線を用いることで、携帯電話と印刷装置との間で互いの特定が容易となり、簡易な構成とすることができる。また、既存の携帯電話を使用することができ、汎用性の高いシステムを構築することができる。
【手続補正５】
【補正対象書類名】明細書
【補正対象項目名】００１２
【補正方法】変更
【補正の内容】
【００１２】
本発明の印刷装置は、携帯電話で取得した画像を印刷する印刷装置であって、前記携帯電話と通信する通信手段と、前記携帯電話で取得した画像の内、一の画像を装飾する装飾画像が前記携帯電話から送信されるときに、該装飾画像を受け取って記憶する記憶手段と、前記携帯電話から送信される前記一の画像と前記装飾画像を特定する情報と両画像の相対位置に関する情報とに基づいて、前記一の画像と前記記憶手段から呼び出した前記装飾画像とを前記相対位置に合わせて合成して、合成印刷画像を作成する合成印刷制御手段と、前記合成印刷画像を印刷する印刷制御手段とを備えたことを要旨としている。
【手続補正６】
【補正対象書類名】明細書
【補正対象項目名】００１３
【補正方法】変更
【補正の内容】
【００１３】
また、この印刷装置に対応する印刷制御方法は、携帯電話との通信が可能であり、該携帯電話で取得した画像を印刷する印刷装置の印刷制御方法であって、前記携帯電話で取得した画像の内、一の画像を装飾する装飾画像が前記携帯電話から送信されるときに、該装飾画像を受け取って記憶し、前記携帯電話から送信される前記一の画像と前記装飾画像を特定する情報と両画像の相対位置に関する情報とに基づいて、前記一の画像と前記記憶した前記装飾画像とを前記相対位置に合わせて合成して、合成印刷画像を作成し、前記合成印刷画像を印刷することを要旨としている。
【手続補正７】
【補正対象書類名】明細書
【補正対象項目名】００１７
【補正方法】変更
【補正の内容】
【００１７】
本発明の携帯電話は、画像を撮影する撮影部と該撮影された画像を表示する表示部とを有する携帯電話であって、印刷装置と通信する通信手段と、前記表示部に、前記撮影部により撮影された撮影画像と該撮影画像を装飾する装飾画像との２つの画像を重ね合わせて合成表示し、該２つの画像の相対位置に関する情報を決定する合成表示制御手段と、前記相対位置に関する情報と共に、前記撮影画像を前記装飾画像とは別個に、前記通信手段を用いて前記印刷装置へ送信する送信制御手段とを備えたことを要旨としている。
【手続補正８】
【補正対象書類名】明細書
【補正対象項目名】００１８
【補正方法】変更
【補正の内容】
【００１８】
また、この携帯電話に対応する携帯電話の制御方法は、画像を撮影する撮影部と該撮影された画像を表示する表示部とを有し、印刷装置と通信可能な携帯電話の制御方法であって、前記表示部に、前記撮影部により撮影された撮影画像と該撮影画像を装飾する装飾画像との２つの画像を重ね合わせて合成表示し、該２つの画像の相対位置に関する情報を決定し、前記相対位置に関する情報と共に、前記撮影画像を前記装飾画像とは別個に、前記印刷装置へ送信することを要旨としている。
【手続補正９】
【補正対象書類名】明細書
【補正対象項目名】００１９
【補正方法】変更
【補正の内容】
【００１９】
かかる携帯電話および携帯電話の制御方法によれば、携帯電話は、撮影画像と装飾画像との２つの画像の合成表示を行ない、相対位置情報を決定するのみで、２つの画像を１つの画像とする合成処理は行なわない。したがって、携帯電話での処理が簡素化され、画像の取り扱いが容易となる。